【事件の表示】
　特許第２７１０１０１号「ラッチ」の請求項に係る特許に対する特許異議の申立てについて、次のとおり決定する。
【結　論】
　特許第２７１０１０１号の特許を取り消す。
【理　由】
１.手続きの経緯　
　本件特許第２７１０１０１号の請求項１に係る発明についての出願は、昭和５８年７月６日に出願した実願昭５８−１０３８８９号の出願の一部を実願平３−１０５７０４号の新たな出願とし、さらに当該出願を特願平３−３４９９０９号と変更し、その一部を平成８年４月１９日に特願平８−１２０８５９号として新たな特許出願とし、平成９年１０月２４日にその特許権の設定の登録がなされ、その後、その請求項１に係る発明の特許について五十嵐淑郎より特許異議の申立がなされ、当審において、取消理由通知がなされたところ、特許異議意見書が提出されたものである。
２.本件発明
　本件特許第２７１０１０１号の請求項１に係る発明は、特許明細書および図面の記載からみて、その特許請求の範囲の請求項１に記載された次のとおりのものである。
【請求項１】扉を蝶着した本体に固定される固定筒と、前記扉を閉めることによって前記扉の裏のストライクで前記固定筒内へコイルバネの付勢力に抗して押し込まれ、前記ストライクを保持して前記扉を閉めた状態に保つロッドを有するプッシュ・プッシュ式のラッチにおいて、前記固定筒（１）を合成樹脂で一体成形して前後方向の長孔（１’）を開設し、前記固定筒（１）内で前後方向へ摺動する前記ロッド（２）の後半部に、前記ロッド（２）を前向きに押す前記コイルバネ（４）を受け入れるように収容する収容部（５）を設けるとともに、前記長孔（１’）の端に係合して前記ロッドが前記固定筒（１）から抜けるのを阻止し、前記長孔（１’）で前記固定筒（１）の前後方向へ案内されるストッパ（６）を立設し、このストッパ（６）の後端上部を斜め後向きに下降する斜面（６’）とし、前記ロッド（２）にカム部材（３）が載置され、前記ロッド（２）が前記固定筒（１）内へ押し込まれると、作動してロック状態となることによって前記ロッド（２）を前記固定筒（１）内にロックし、再度前記ロッド（２）が前記固定筒（１）内へ押し込まれると、作動してアンロック状態となることによつて前記ロッド（２）のロックを解除するカム手段（３,１０,１１）を設けた、ことを特徴とするラッチ。
３.取消理由通知
　当審では、実願昭５４−９６０９２号（実開昭５６−１４１５９号）のマイクロフィルムを刊行物１（甲第１号証）として引用し、実願昭５４−５４０８７号（実開昭５５−１５４２７２号）のマイクロフィルムを刊行物２（甲第６号証）として引用し、実願昭５４−１３８０７４号（実開昭５６−５５４６５号）のマイクロフィルムを刊行物３として引用し、本件請求項１に係る発明は、上記刊行物に記載された発明に基づいて当業者が容易に発明をすることができたものと認められるから、本件請求項１に係る発明の特許は、特許法第２９条第２項の規定に違反してなされたものであるという取消理由を通知した。　
４.各刊行物の記載事項
　先の取消理由通知において引用した上記刊行物１には、次の事項が記載されている。
ア.本考案は押す毎にロック状態とリリ−ス状態とを繰り返すいわゆるプッシユプッシユ扉における扉開閉装置に関するものである。（第２頁第２〜４行）
イ.本考案の扉開閉装置は扉（５）の遊端部と係合し得る固定部位（４）に設けた扉受け本体（１）と、該扉受け本体（１）に摺動可能に支持された扉受け部（３）とから構成されている。（第３頁第１７〜２０行）
ウ.扉受け本体（１）は、溝形に構成されており、上端縁部所定位置に、扉受け部（３）を抜け止め状に保持する一対のリブ（１１）（１１）を設けるとともに、一側端部（第１図中左側端部）にばねを支持するリブ（１２）を立設し、更に底面中央部に扉受け本体（１）長さ方向と平行な広幅のピン挿通孔（１３）を設けるとともに、底面他側端部（第１図中右側端部）に一対の摺動溝（１４）（１４）を穿設し、該摺動溝（１４）（１４）同志の間隔は、扉受け本体（１）の中央部寄りが狭く、端部寄りが広くなるよう形成されている。（第４頁第１〜１０行）
エ.（３６）は扉受け部（３）の下面中央部に下方に抜き起こして設けたストッパ−で、前記ピン挿通孔（１３）と係合することにより扉受け部（３）が不用意に抜け落ちないようにしている。（第５頁第１５〜１８行）
オ.扉（５）を固定部位（４）に向かって押圧すると扉フック（６）と係合突部（３７）とが係合して、扉受け部（３）をばね（３１）に抗して摺動する。（第６頁第１１〜１３行）
カ.扉受け部（３）がばね（３１）に抗して摺動されると突起（３４（３４）が摺動溝（１４）（１４）に沿って移動し、最も間隔の狭い状態となるので係合リブ（３３）（３３）が互に接近され、第５図Ｂに示すように係合リブ（３３）（３３）の先端鉤部（３３’）（３３’）が扉フック（６の先端鉤部（６’）と抜け止め状に係合する。次いで扉（５）に加えている押圧力を解放しても、ピン（３５）と係合部（２０）との係合が外れると扉受け部（３）が僅かにスライドしたときピン（３５）と係合部（２１）とが係合する為、第５図Ｃに示すように係合リブ（３３）（３３）と扉フック（６）との係合は外れず、従って扉（５）は僅かに固定部位（４）から離間したまゝロック状態に保持される。（第６頁第１８行〜第７頁第１０行）
　これらの記載を含む明細書および図面の記載からみて、刊行物１には、「扉を蝶着した本体に固定される扉受け本体と、前記扉をしめることによつて前記扉の裏の扉フックで前記扉受け本体内へばねの付勢力に抗して押し込まれ、前記扉フックを保持して前記扉を閉めた状態に保つ扉受け部を有するプッシュ・プッシュ式の扉開閉装置において、前記扉受け本体に前後方向のピン挿通孔を開設し、前記扉受け本体内で前後方向へ摺動する前記扉受け部の後半部に、前記ばねを受け入れるように収容する収容部を設けるとともに、前記ピン挿通孔の端に係合して前記扉受け部が前記扉受け本体から抜けるのを阻止し、前記ピン挿通孔で前記扉受け本体の前後方向へ案内されるストッパ−を立設し、前記扉受け本体にカム板が設けられ、前記扉受け部が前記扉受け本体内へ押し込まれると、作動してロック状態となることによつて前記扉受け部を前記扉受け本体内にロックし、再度前記扉受け部が前記扉受け本体内へ押し込まれると、作動してアンロック状態となることによつて扉受け部のロックを解除するカム手段を設けたことを特徴とする扉開閉装置。」が記載されているものと認められる。　　　　　　　　　　　　　　　　　　　同じく先の取消理由通知で引用した上記刊行物２には、次の事項が記載されている。
ア.この考案は、磁石体を用い、家具の扉等、開閉する両部材の接合部分にこれを取付けて、両部材を閉止するためのマグネットキヤッチに関する。（第２頁第１〜４行）  
イ.上部ヨ−ク（２）ｂの上面に形成した上向きの小突起（３）をハウジング（１）の上壁（１）ａ下面に下向きに形成した凹陥部（４）内に、下部ヨ−ク（２）ｂ’の下面に形成した下向きの小突起（５）を同上ハウジング（１）の底壁（１）ｂに切設した係止孔（６）内に、それぞれ、ハウジング（１）の上下壁（１）ａ、（１）ｂに抗して圧入することによって嵌入して、ハウジング（１）内に前方への抜脱を不能に装着されている。なお、上、下小突起（３）（５）は、磁石体（２）の後端寄りに、上下対称位置に設けられ、かつ、前縁を高く、後縁を低く、傾斜面に形成されている。（第３頁第１０行〜第４頁第４行）
ウ.本考案のマグネットキヤッチは、上記のように構成したのでハウジング（１）の上面に不体裁な係止孔が露出しておらず家具等に用いて外観にすぐれ、併せて、合成樹脂による一体成形に好適して、有用である。（第５頁第１３行〜第６頁第１行）
　これらの記載を含む明細書および図面の記載からみて、刊行物２には、「マグネットキヤッチのハウジング内に抜脱不能に装着されるヨ−クに設けられる小突起をその前縁を高く、後縁を低く、傾斜面に形成する。」が記載されているものと認められる。　　　　　　　　　　　　　　　　　　　　　　同じく先の取消理由通知で引用した刊行物３には、次の事項が記載されている。
ア.本考案は、取付枠に固定される支持箱体に作動体を摺動自在に嵌挿し、該作動体にマグネットと開扉弾撥機構としてのばねと、作動体のロック、アンロック機構とを組込み一体化することで、取付枠への取付けを容易にすると共に、開扉、閉扉動作を円滑かつ、確実ならしめることを目的とするプッシュ式のマグネット仮錠を提供するものである。（第３頁第２〜９行）
イ.支持箱体（１）における中空箱部（１）ａの内壁面には、上記作動子（４）を係嵌案内するガイド溝（１）ｆと、その内端に回転用突子（１）ｇと、回転兼用係合突部（１）ｈを作動体（２）の動きによって作動子（４）を後述する如く動作するよう設けてある。（第４頁第４〜９行）
ウ.上記作動体（２）の内端部一側に上記作動子（４）は回転自在に軸支される（第５頁第２〜３行）
５.対比・判断
　本件請求項１に係る発明（以下、「本件発明」という。）と、上記刊行物１記載の発明とを対比する。　　　　　　　　　　　　　　　　　　　　　　刊行物１記載の発明における、「扉受け本体」、「扉フック」、「ばね」、「扉受け部」、「ピン挿通孔」、「ストッパ−」および「カム板」はその機能からみて、それぞれ本件発明の「固定筒」、「ストライク」、「コイルバネ」、「ロッド」、「長孔」、「ストッパ」および「カム部材」に対応するから、本件発明と刊行物１記載の発明とは以下の点において相違する以外はすべて一致しているものと認められる。
　相違点ａ:本件発明の固定筒が合成樹脂で一体成形されたものであるのに対し、刊行物１記載の発明の扉受け本体がこの構成を欠く点。
　相違点ｂ:本件発明のストッパがその後端を上部斜め後向きに下降する斜面としたのに対し、刊行物１記載の発明がこの構成を欠く点。
　相違点ｃ:本件発明のカム部材がロッドに載置されたのに対し、刊行物１記載の発明がカム板を扉受け本体に設けた点。
　上記相違点について検討する。
　相違点ａにおいて、刊行物２には、「錠,鍵」という本件発明のラッチと同じ技術分野に属するマグネツトキヤッチのハウジングが合成樹脂で一体成形されることが記載されており、かつラッチ等においてそのケ−ス本体やハウジングを合成樹脂で形成することは周知[例えば実願昭５６−６８３５６号（実開昭５７−１８００７１号のマイクロフィルム）（甲第４号証）、実願昭５４−１２４５５０号（実開昭５６−４１０７７号のマイクロフィルム）（甲第７号証）]であるから、刊行物１記載の発明において、相違点ａの構成を採るようにすることは当業者にとって格別の困難性は認められず、また予測できる以上の作用・効果を奏するとも認められない。
　相違点ｂにおいて、刊行物２には、マグネットキヤッチのハウジング内に抜脱不能に装着されるヨ−クに設けられる小突起をその前縁を高く、後縁を低く、傾斜面に形成することが記載されているから、刊行物１記載の発明において、相違点ｂの構成を採るようにすることは当業者にとって格別の困難性は認められず、また予測できる以上の作用・効果を奏するとも認められない。
　相違点ｃにおいて、刊行物３記載の発明は、本件発明のラッチと同じ技術分野に属するマグネット式プッシュ仮錠であって、その「支持箱体」、「回転用突子および回転兼用係合突部」、「作動体」、「ばね」および「作動子」はその機能からみて、それぞれ本件発明の「固定筒」、「第１突起爪および第２突起爪」、「ロッド」、「コイルバネ」および「カム部材」に対応し、しかも刊行物３記載の発明における作動体に軸支された作動子が、支持箱体に設けられた回転用突子および回転兼用係合突部と、作動体の押し込み操作とによって動作されるようにしたのに対し、本件発明のロッドに載置されたカム部材が、固定筒に設けられた第１突起爪および第２突起爪と、ロッド押し込み操作とによつて動作される点においても、両者は共通していることから、刊行物１記載の発明において、相違点ｃの構成を採るようにすることは当業者にとつて格別の困難性は認められず、また予測できる以上の作用・効果を奏するとも認められない。
６.むすび
　以上のとおり、本件発明は、刊行物１〜３に記載された発明に基づいて当業者が容易に発明をすることができたものと認められるから、本件発明の特許は、特許法第２９条第２項の規定に違反してなされたものと認められる。
　したがって、本件発明の特許は、特許法等の一部を改正する法律（平成６年法律第１１６条）附則第１４条の規定に基づく、特許法等の一部を改正する法律の一部の施行に伴う経過措置を定める政令（平成７年政令第２０５号）第４条第１項および第２項の規定により取り消されるべきものである。
　よって、結論のとおり決定する。
【異議決定日】
平成１２年１月２８日（２０００．１．２８）